(57)【要約】【課題】  ２本のテールコードを有する場合にあって、その各々のテールコード間の干渉に起因する挙動不良を抑制できるエレベータのテールコードを提供する。【解決手段】  乗りかごと昇降路の壁との間に吊り下げられるテールコード１５が外側テールコード１６と内側テールコード１７の２本であり、テールコード１５の長手方向の適所にコードホルダ１８を装着し、このコードホルダ１８は外側テールコード１６に固定され、内側テールコード１７の水平方向の移動を規制する。【選択図】      図２
2006176252.tif 000002
【特許請求の範囲】
【請求項１】
乗りかごと、
前記乗りかごが昇降移動する昇降路と、
前記乗りかごと前記昇降路の内壁との間を連絡するように吊り下げられた、複数本のテールコードと、
前記複数本のテールコードうち一部のテールコードに固定され、固定された前記テールコード以外のテールコードの水平方向の移動を規制するコードホルダと、
を備えたことを特徴とするエレベータのテールコード。
【請求項２】
前記コードホルダは、前記テールコードの長手方向の複数箇所に設けられたことを特徴とする請求項１に記載されたエレベータのテールコード。
【請求項３】
前記コードホルダは、超高分子量ポリエチレンで形成されたことを特徴とする請求項１又は請求項２に記載されたエレベータのテールコード。
【請求項４】
前記コードホルダは、弾性変形に伴う復元力により前記テールコードに取り付けられていることを特徴とする請求項１乃至請求項３のいずれかに記載されたエレベータのテールコード。
【発明の詳細な説明】
【技術分野】
【０００１】
本発明は、乗りかごと昇降路の内壁との間にテールコードを吊り下げたエレベータのテールコードに関し、さらに詳しくは、テールコードの挙動を抑制する技術に関する。
【背景技術】
【０００２】
エレベータは、図５（ａ）〜（ｃ）に示すように、昇降路内を昇降する乗りかご１００と、昇降路の壁１０１に固定されたジャンクションボックス１０２とを有する。この乗りかご１００の下面とジャンクションボックス１０２との間には、制御線や電力線等を内蔵するテールコード１０３が吊り下げられている。テールコード１０３の最下方は、Ｕ字状の湾曲部１０３ａとなっている。乗りかご１００に追従移動するテールコード１０３は、乗りかご１００の速度変化、風等によって容易に揺れる。テールコード１０３が揺れて他部材と接触すると故障の原因となるため、従来よりテールコード１０３の挙動を抑制する技術が種々提案されている。
【０００３】
従来のテールコード１０３の挙動抑制技術としては、図６に示すように、テールコード１０３の長手方向の一定間隔毎に柔軟で、且つ、高減衰性を有する粘弾性部材１１０を取り付けたものがある（例えば、特許文献１参照。）。このテールコード１０３に揺れが発生すると、その揺れを粘弾性部材１１０によって減衰するようになっている。
【０００４】
また、他の挙動抑制技術としては、図７に示すように、昇降路の壁１０１に、テールコード１０３の垂下軌跡に沿って所定間隔毎に板状の制振体１１１を取り付けたものである。テールコード１０３に水平方向の揺れが発生すると、テールコード１０３の揺れを制振体１１１で規制するようになっている。
【特許文献１】特開平６−２３４４８１号公報
【発明の開示】
【発明が解決しようとする課題】
【０００５】
上述した従来の技術は、テールコード１０３が１本であり、１本のテールコード１０３の挙動不良を防止するのに効果的である。しかし、テールコード１０３が複数本の場合において各テールコード相互で発生する挙動不良を抑制することができない。
【０００６】
例えば、図８（ａ）、（ｂ）に示すように、テールコード１０３は外側テールコード１０４と内側テールコード１０５の２本であり、この双方のテールコード１０４，１０５が互いに近接した状態で吊り下げられている。外側及び内側テールコード１０４，１０５の最下方の湾曲部１０４ａ，１０５ａは、上述したように乗りかご１００の昇降位置に応じて移動する。乗りかご１００が最下階付近に下降すると（図５（ｃ）の位置）、乗りかご１００から垂下される外側及び内側テールコード１０４ａ，１０５ａの垂下距離が短く、乗りかご１００の直ぐ下方に湾曲部１０４ａ，１０５ａが位置する。すると、図９に示すように、テールコード１０３の湾曲部１０３ａが乗りかご１００から離れる方向に膨らみ、湾曲部１０３ａが昇降路の壁である引っ掛かり防止用保護金網１０６に接触する。ここで、引っ掛かり防止用保護金網１０６に接触するのは、外側テールコード１０４のみである。すると、外側テールコード１０４のみが外力を受けるために、図８（ｃ）に示すように、外側テールコード１０４と内側テールコード１０５が水平方向に位置ずれを起こす。これが原因となって外側テールコード１０４と内側テールコード１０５が互いに干渉し合って挙動不良が生じることがある。
【０００７】
また、上記した原因以外でも、外側テールコード１０４と内側テールコード１０５のいずれか一方にのみ水平方向の外力が作用すると、外側テールコード１０４と内側テールコード１０５の間に水平方向の位置ずれが発生して、双方のテールコード１０４，１０５間が互いに干渉し合って挙動不良が発生する。
【０００８】
このような挙動不良によって、外側テールコード１０４や内側テールコード１０５が昇降路の壁１０１（引っ掛かり防止用保護金網１０６）や乗りかご１００に接触して外側テールコード１０４や内側テールコード１０５が損傷する場合がある。また、外側テールコード１０４と内側テールコード１０５間の接触は、騒音の原因となる場合もある。更に、外側テールコード１０４と内側テールコード１０５間が絡まったり、外側テールコード１０４や内側テールコード１０５が昇降路に配置された機器（例えばジャンクションボックス１０２）に引っ掛かったりする可能性があり、エレベータ故障となることも懸念される。
【０００９】
そこで、本発明は、複数本のテールコードを有する場合にあって、その各々のテールコード間の干渉に起因する挙動不良を抑制できるエレベータのテールコードを提供することを目的とする。
【課題を解決するための手段】
【００１０】
この発明の特徴は、乗りかごと、この乗りかごが昇降移動する昇降路と、乗りかごと昇降路の内壁との間を連絡するように吊り下げられた、複数本のテールコードと、これら複数本のテールコードうち一部のテールコードに固定され、固定された前記テールコード以外のテールコードの水平方向の移動を規制するコードホルダと、を備えたことを要旨とする。
【発明の効果】
【００１１】
本発明によれば、コードホルダが取り付けられた一部のテールコードに対して、他のテールコードが水平方向に移動しようとすると、その移動をコードホルダが規制するため、複数のテールコード間の干渉に起因する挙動不良の発生を抑制できる。
【発明を実施するための最良の形態】
【００１２】
以下、本発明の実施の形態に係るエレベータのテールコードの詳細を図面を用いて説明する。
【００１３】
図１〜図４は本発明の実施の形態に係るエレベータを示している。図１はエレベータ１の概略構成図、図２はテールコード１５の斜視図、図３は外側テールコード１６と内側テールコード１７がコードホルダ１８で連結された状態を示す断面図である。
【００１４】
図１に示すように、エレベータ１は、建屋側に昇降路２と、この昇降路２の上部に配置された機械室３とを備えている。昇降路２には、上下方向に沿って一対のガイドレール４が設けられている。昇降路２の上下方向の中間位置の壁５には、ジャンクションボックス６が固定されている。機械室３には巻上機７が設置されている。
【００１５】
エレベータ１は、昇降路２内に配置された乗りかご１０と、この乗りかご１０の上部に一端が固定され、機械室３の巻上機７を経て再びエレベータ昇降路２内に垂下されたメインロープ１１と、このメインロープ１１の他端に固定されたがカウンタウエイト１２とを備えている。乗りかご１０の上下端で、且つ、左右両端位置には、一対のガイドレール４に沿って走行する一対のローラガイド１３が設けられている。乗りかご１０の下部には、コンペンロープ１４とテールコード１５が吊り下げられている。コンペンロープ１４は、メインロープ１１の重量を相殺する目的で付設され、その他端がカウンタウエイト１２に固定されている。テールコード１５は、乗りかご１０と建屋との間の電気的接続を行う目的で付設され、その他端がジャンクションボックス６に固定されている。つまり、テールコード１５は、その一端側が乗りかご１０から吊り下げられ、その他端側が昇降路の壁５からジャンクションボックス６を介して吊り下げられている。テールコード１５の最下方は、Ｕ字状の湾曲部１５ａとなっている。
【００１６】
テールコード１５は、図２に示すように、外側テールコード１６と内側テールコード１７の２本から成り、これらが重ね合うように配置されている。そのテールコード１５の長手方向には、所定の間隔毎にコードホルダ１８がそれぞれ装着されている。コードホルダ１８の間隔は、乗りかご１０の移動に追従して変移するＵ字状の湾曲部１５ａがどの位置に形成されても、その湾曲部１５ａに少なくとも１つのコードホルダ１８が配置される寸法に設定されている。通常のテールコード１５においては、概ね１ｍ間隔にコードホルダ１８を設ければよい。
【００１７】
このコードホルダ１８は、図３に示すように、長方形の枠体であり、超高分子量ポリエチレン材にて弾性変形可能に構成されている。コードホルダ１８の枠内は、内側突起１８ａによって外側テールコード１６と内側テールコード１７をそれぞれ収容する２つのコード保持スペース１９，２０に仕切られている。外側テールコード１６を収容するコード保持スペース１９は、外側テールコード１６の断面寸法より若干小スペースに設定されている。従って、コードホルダ１８を圧縮変形した状態で取り付けられている。外側テールコード１６は、コードホルダ１８の弾性復帰力によって長手方向にもその直交方向（水平方向）にも移動不能に固定されている。内側テールコード１７を収容する保持スペース２０は、内側テールコード１７の断面寸法に対し余裕のある大スペースに設定されている。従って、内側テールコード１７は長手方向に移動自在であるが、長手方向の直交方向（水平方向）に対し移動が規制された状態で取り付けられている。
【００１８】
このような枠状のコードホルダ１８には、係止部１８ｂが設けられている。この係止部１８ｂを係止解除して枠体の一部を弾性撓み変形することにより、コード保持スペース１９，２０を外側に開放できるようになっている。また、係止部１８ｂを係止することにより、コード保持スペース１９，２０を外側より閉塞できるようになっている。すなわち、係止部１８ｂを係止解除して外側テールコード１６、内側テールコード１７の順に挿入し、その後に係止部１８ｂを係止することによってテールコード１５を装着できる。
【００１９】
このような構成において、巻上機７が駆動され、メインロープ１１が移動すると、このメインロープ１１の移動によって乗りかご１０が昇降路２内を移動する。この乗りかご１０の移動に追従してテールコード１５も湾曲部１５ａを可変しつつ昇降路２内を移動することになる。
【００２０】
この移動過程にあって、乗りかご１０が最下階付近に下降すると、乗りかご１０から垂下されるテールコード１５の垂下距離が短く、乗りかご１０の直ぐ下方に湾曲部１５ａが位置する。すると、テールコード１５の湾曲部１５ａが乗りかご１０から離れる方向に膨らみ、湾曲部１５ａが昇降路の壁５に接触する。ここで、昇降路の壁５に接触するのは、外側テールコード１６のみである。すると、外側テールコード１６のみが外力を受けるために、外側テールコード１６と内側テールコード１７が水平方向に位置ずれを起こすように移動しようとする。しかし、その水平方向の移動がコードホルダ１８によって規制されるため、外側テールコード１６と内側テールコード１７間における水平方向の位置ずれが防止される。
【００２１】
また、上述の原因以外でも、外側テールコード１６と内側コールコード１７のいずれか一方にのみ水平方向の外力が作用する場合が発生する。しかし、外側テールコード１６と内側テールコード１７の間における水平方向の位置ずれが上述と同様の理由により防止される。
【００２２】
従って、本実施の形態では、外側テールコード１６と内側テールコード１７間の干渉に起因する挙動不良が規制される。また、外側テールコード１６と内側テールコード１７間において長手方向の位置ずれが発生した場合には、コードホルダ１８に固定されていない内側テールコード１７がコードホルダ１８に対して摺動することによって長手方向の位置ずれが解消される。
【００２３】
この実施の形態では、コードホルダ１８は、テールコード１５の長手方向の複数箇所に設けられたので、テールコード１５のどの位置が湾曲部１５ａとなっても湾曲部１５ａの箇所にコードホルダ１８が配置される。従って、テールコード１５の湾曲部１５ａで発生し易い水平方向の位置ずれを有効に防止できる。
【００２４】
また、本実施の形態では、２本のテールコード１６，１７がコードホルダ１８で拘束されているため、屋外設置エレベータの場合に風の影響を受けたときに、２本のテールコード１６，１７が単独で裏返ることを防止できる。
【００２５】
さらに、本実施の形態では、コードホルダ１８は、超高分子量ポリエチレンで形成しているため、外側テールコード１６と内側テールコード１７間で発生した長手方向の位置ずれを解消する際に、内側テールコード１７が摩擦係数の低いコードホルダ１８に対してスムーズに摺動し、確実に長手方向の位置ずれを解消できる。
【００２６】
また、本実施の形態では、コードホルダ１８は、弾性変形力を固定力として外側テールコード１６に取り付けたので、コード取付け部を簡単な構造にできる。この実施の形態では、コード取付部であるコード収容スペース１９は、外側テールコード１６の断面積より若干だけ小さい寸法に設定されている。なお、コードホルダ１８は、内側テールコード１７を固定するようにしても勿論よい。
【００２７】
さらに、本実施の形態では、コードホルダ１８には、弾性力を利用して係脱でき、係止解除によってコード収容スペース１９，２０を外側に開放し、係止状態によってコード収容スペース１９，２０を外側から閉塞する係止部１８ｂを設けたことにより、工具を使用することなくテールコード１５を装着できる。従って、テールコード１５への装着作業が容易である。
【００２８】
図４は他の実施の形態に係る、４本のテールコード間がコードホルダ１８Ａで連結された状態を示す断面図である。
【００２９】
図４に示すように、テールコード１５Ａは、２本の外側テールコード１６ａ，１６ｂと２本の内側テールコード１７ａ，１７ｂからなる。コードホルダ１８Ａは、長方形の枠体であり、超高分子量ポリエチレン材にて弾性変形可能に形成されている。コードホルダ１８Ａの枠内は、２箇所の内側突起１８ａ，１８ａによって、外側テールコード１６ａ，１６ｂと内側テールコード１７ａ，１７ｂをそれぞれ収容する４つのコード保持スペース１９ａ，１９ｂ，２０ａ，２０ｂに仕切られている。外側テールコード１６ａ，１６ｂを収容する各コード保持スペース１９ａ，１９ｂは、各外側テールコード１６ａ，１６ｂの断面寸法より若干小スペースに設定されている。従って、コードホルダ１８Ａを圧縮変形した状態で取り付けられている。外側テールコード１６ａ，１６ｂはコードホルダ１８Ａの弾性復帰力によって長手方向にもその直交方向（水平方向）にも移動不能に固定されている。各内側テールコード１７ａ，１７ｂを収容する各保持スペース２０ａ，２０ｂは、各内側テールコード１７ａ，１７ｂの断面寸法に対し余裕のある大スペースに設定されている。従って、各内側テールコード１７ａ，１７ｂは長手方向に移動自在であるが、長手方向の直交方向（水平方向）に対し移動が規制された状態で取り付けられている。
【００３０】
枠状のコードホルダ１８Ａには係止部１８ｂ，１８ｂが２箇所に設けられている。この各係止部１８ｂ，１８ｂを係止解除して枠体の一部を弾性撓み変形することにより、コード保持スペース１９ａ，１９ｂ，２０ａ，２０ｂを外側に開放できる。係止部１８ｂを係止することにより、コード保持スペース１９ａ，１９ｂ，２０ａ，２０ｂを外側より閉塞できる。つまり、各係止部１８ｂ，１８ｂを係止解除して外側テールコード１６、内側テールコード１７の順にそれぞれ挿入し、その後、各係止部１８ｂ，１８ｂを係止することによってテールコード１５を装着できる。
【００３１】
図４に示した他の実施の形態における他の構成は、上述した実施の形態と同様であり、上述の実施の形態と同様の作用、効果が得られる。
【００３２】
また、図４に示した他の実施の形態では、外側テールコード１６ａ，１６ｂ同士、及び、内側テールコード１７ａ，１７ｂ同士がコードホルダ１８Ａで一列状態で拘束されているため、テールコード１５Ａ全体としての剛性が向上し、挙動不良を起こし難くなるという利点も有する。また、４本のテールコード１６ａ，１６ｂ，１７ａ，１７ｂがコードホルダ１８Ａで拘束されているため、このエレベータが屋外設置エレベータの場合に、風の影響を受けたときに、４本のテールコード１６ａ，１６ｂ，１７ａ，１７ｂが単独で裏返ることを防止できる。
【００３３】
なお、上記した各実施の形態では、テールコードが２本の場合と４本の場合を説明したが、３本でも５本以上の場合でも本発明を同様に適用することが可能である。
【図面の簡単な説明】
【００３４】
【図１】本発明の実施の形態に係るエレベータの概略構成図。
【図２】本発明の実施の形態に係るテールコードの斜視図。
【図３】本発明の実施の形態に係る外側テールコードと内側テールコードがコードホルダで連結された状態を示す断面図。
【図４】本発明の他の実施の形態に係る外側テールコードと内側テールコードがコードホルダで連結された状態を示す断面図。
【図５】（ａ）は、乗りかごが高層階に位置する場合におけるテールコードの湾曲部の位置を示す概略図、（ｂ）は乗りかごが中層階に位置する場合におけるテールコードの湾曲部の位置を示す概略図、（ｃ）は、乗りかごが低層階に位置する場合におけるテールコードの湾曲部の位置が示す概略図。
【図６】従来のテールコードの挙動抑制手段を示す概略図。
【図７】他の従来のテールコードの挙動抑制手段を示す概略図。
【図８】（ａ）は２本のテールコードの吊り下げ状態を示す正面図、（ｂ）は図８（ａ）の矢印Ａ方向から見た状態を示す側面図、（ｃ）は外側テールコードと内側テールコードが水平方向に位置ずれを起こした状態を示す側面図。
【図９】テールコードが昇降路の壁側に膨らみ、引っ掛かり防止用保護金網に接触した状態を示す正面図。
【符号の説明】
【００３５】
１  エレベータ
２  昇降路
５昇降路の壁
１０  乗りかご
１５，１５Ａ  テールコード
１６，１６ａ，１６ｂ  外側テールコード
１７，１７ａ，１７ｂ  内側テールコード
１８，１８Ａ  コードホルダ
１８ｂ  係止部
【図１】
2006176252.tif 000003
【図２】
2006176252.tif 000004
【図３】
2006176252.tif 000005
【図４】
2006176252.tif 000006
【図５】
2006176252.tif 000007
【図６】
2006176252.tif 000008
【図７】
2006176252.tif 000009
【図８】
2006176252.tif 000010
【図９】
2006176252.tif 000011